(57)【要約】【課題】高齢者を含めて誰でも手軽に左手の指の運動が行えるように、その運動を支援し、右脳を刺激して記憶力や集中力を向上させる、器具を提供することを課題とする。【解決手段】右脳を刺激し記憶力や集中力を向上させる運動のひとつである左手の指による円板の摺動回転を容易に実践できるようにするため、指リング２１を左手の指に装着するとき、円板１１と少なくとも一個の指リング２１とを備え、その一方の構成材料の一つが磁石から成り、他方の構成材料の一つが軟磁性材料の金属から成るようにすることによって、その磁石の吸引作用により円板１１が指リング２１に保持され円板１１を容易に摺動回転できるようにした右脳活性化器具を提供する。【選択図】図４
2007144090.tif 000002
【特許請求の範囲】
【請求項１】
円板と少なくとも一個の指リングとを備え、その一方の構成材料の一つが磁石から成り、他方の構成材料の一つが軟磁性材料の金属から成って、その磁石の吸引作用により該指リングに該円板を摺動可能に保持することを特徴とする右脳活性化器具。
【請求項２】
円板と指リングとを備え、該円板の一方の面の中央部分に設けた突起と、該指リングの外周面に設けた案内とが係合することにより、該指リングに該円板を摺動可能に保持することを特徴とする右脳活性化器具。
【発明の詳細な説明】
【技術分野】
【０００１】  この発明は、左手の指の運動を支援し右脳の働きを活性化する器具に関するものである。
【背景技術】
【０００２】  指先を使った細かい作業は、脳を刺激し活性化すると言われている。とりわけ、右脳への刺激は、記憶力や集中力を高めるとされている。このため、パソコンを用いたタイピング、ピアノやバイオリンなどの楽器演奏、編み物や刺しゅうなどの手芸など、手の指先を巧みに使った趣味が注目されている。また、速読法やイメージトレーニング、各種のゲームなど、積極的に右脳を刺激して記憶力や集中力を向上させる鍛錬法が行われている。
【発明の開示】
【発明が解決しようとする課題】
【０００３】  しかしながら、これらの趣味や鍛錬法は、誰でも手軽に取り組めるものでなく、途中で諦めてしまうことも少なくなかった。右脳の働きを活性化しようとする取り組みは、強靭な意志と集中力が必要であり、とりわけ、それらが減退してくる中高年の世代にとっては容易なことではなかった。特に高齢者にとっては、記憶力や集中力の低下が、呆けの発生や進行を亢進すると言われるが、指先を多用する趣味やこれまでのような右脳の鍛錬法は、負荷が過大であり、右脳の活性化法として必ずしも適するものとは言えなかった。【０００４】  一般に、人体の四肢の運動はその相対する脳の機能に司られると言われている。つまり、右脳は人体の左側の運動機能を司り、左脳は右側の運動を司る。したがって、人体の左側の上下肢を動かせば右脳が活性化され、右側の上下肢を使えば左脳が活性化される。【０００５】  日常の生活においては、大多数の人の利き手である右手が多用されるために、左手の使われる割合が少ないのが、一般的である。このため、運動機能の面からの右脳への刺激は、左脳へのそれと比較して少なく、右脳の機能と言われる記憶力や集中力が減退する。この傾向は、加齢とともに増大し、高齢者に至って最も顕著になるものと考えられる。【０００６】  そこで、この発明は、高齢者を含めて誰でも手軽に左手の指の運動が行えるようにその運動を支援し、右脳を刺激して記憶力や集中力を向上させる、器具を提供することを課題とする。
【課題を解決するための手段】
【０００７】  以上の課題を解決するために、第一発明は、円板と少なくとも一個の指リングとを備え、その一方の構成材料の一つが磁石から成り、他方の構成材料の一つが軟磁性材料の金属から成って、その磁石の吸引作用により該指リングに該円板を摺動可能に保持することを特徴とする右脳活性化器具である。
また、第二発明は、円板と指リングとを備え、該円板の一方の面の中央部分に設けた突起と、該指リングの外周面に設けた案内とが係合することにより、該指リングに該円板を摺動可能に保持することを特徴とする右脳活性化器具である。
【発明の効果】
【０００８】  始めに、本発明に関する器具の使用法を説明する。前記の指リングを１個使用した場合、左手の人差し指、中指、又は薬指のどれか一本の指先に、指リングを装着し、その指リングの外周に沿って上記の円板の一面を摺動させながら円板を回転させる。このとき、指リングを装着した指に隣接する指と親指とを用いて円板を繰り返し摺動回転させる。この円板を廻す指の運動が、記憶力や集中力を向上させる右脳への刺激となる。【０００９】  円板の廻し方には、指リングを１個装着した場合では、図１の矢印で示すように、指の外周を時計周りと反時計周りの回転の方法がある。また、第一発明においては、指リングを２個装着すると、図２や図３に示すような複雑な廻し方が可能となる。【００１０】  このような指の周囲で円板を廻すことは、指リングを装着しなくても可能であるが、円板を落とさずに繰り返し廻すことはかなり難しい。
このため、第一発明は、左手の指に指リングを装着しその外周面に沿って円板を摺動回転させるとき、円板、指リングのうちどちらか一方を磁石とし他方を軟磁性材料として、円板と指リングとが引き付け合う磁石の吸引作用を利用することにより、円板を指から落とし難い状態で円板を摺動回転できるようにしようとするものである。
また、指リングの外周面と円板との接触面が、指リングを装着せずに円板を廻すときの指と円板との接触面に比べて小さくなるため、摺動抵抗が小さくなり円板の摺動回転を滑らかにするという効果が生じる。【００１１】  また、第二発明は、円板の一方の面の中央部分に設けた突起を指リングの外周に設けた案内に係合し、円板と指リングとを摺動可能に一体化したものであるため、円板が指から落ちることなく円板を廻すことが可能となる。【００１２】  このような円板が落ち難い、又は落ちない効果、及び円板の摺動回転を滑らかにする効果によって、高齢者を含めた誰でもが強靭な意志や過大な運動負荷を要せず容易に左手の指の運動を行え、右脳を刺激、活性化して記憶力や集中力を向上させることができる。また、外を歩いていても、右手で他の事をしているときでも、場所と時間を選ぶことなく手軽に、かつ継続して左手の指の運動が行え、右脳を活性化する効果を奏する。
【発明を実施するための最良の形態】
【００１３】  図面を参照して本発明を実施するための最良の一実施形態を説明する。以下は円板の構成材料の一つが磁石から成り、指リングの構成材料の一つが軟磁性材料の金属から成る場合の実施例である。
図４（ａ）（ｂ）において１１は円板であり、薄い円形の磁石１３をその外周を取り巻くプラスチック等から成る外枠１２に固着して取付けたものである。指リング２１は、磁石１３に吸引される軟磁性材料の金属リング２２と、金属リング２２を嵌め込んだプラスチック等の内リング２３との組合せから構成される。また、指リング２１には、指の太さが代わっても装着可能とするために、指リング２１の一部に切落し部２４を設けている。【００１４】  円板１１の直径は、２０ｍｍから３０ｍｍまでの大きさが使用には適切であるが、特に定めるものではない。磁石１３の厚みと直径は、円板１１が指リング２１に十分に保持されるための磁石の吸引力に依存し、磁石１３の磁力が強ければ強いほど小さくすることが可能である。また、製造コストの低減を優先させる場合などでは、円板１１全体を磁石にすることが可能である。（図面省略）
磁石の吸引力が十分に大きい場合には、円板１１又はその全体を磁石とした円板１１の表面をプラスチックなどで被覆し、磁石１３が直接指に接触しないように配慮することも可能である。（図面省略）
円板１１の表面が滑らか過ぎると、指先が滑りやすく円板１１をスムーズに廻すことができないので、円板１１の表面に凹凸のある加工を施すとよい。（図面省略）【００１５】  図４（ｂ）および図５により指リング２１の構成を説明する。指リング２１は、プラスチック等の良好な肌触りと金属アレルギーの防止の観点から、指の接触するリング内周にプラスチック等から成る内リング２３を配し、円板１１を保持するリング外周に軟磁性材料から成る金属リング２２を配している。
製造コストの低減を優先させる場合などでは、指リング２１全体を軟磁性材料の金属で形成することができる。（図面省略）
また、磁石の吸引力が十分に大きい場合には、金属リング２２の表面全体をプラスチック等で被覆することも可能である。（図面省略）
また、指リング２１のサイズを各種設けたり適切に設定したりする場合には、切落し部２４を設けずに、一体のリング状に形成することができる。（図面省略）
さらに、指リング２１を指の扁平な形状に合わせた楕円形に形成すると、指リング２１と指との密着度が増して指リング２１が指から外れ難い効果が得られる。（図面省略）【００１６】  以下は、円板の構成材料の一つが軟磁性材料の金属から成り、指リングの構成材料の一つが磁石から成る場合の実施例について説明する。
この実施例は、円板と指リングとのそれぞれの構成材料の一つである軟磁性材料の金属と磁石とが、円板に磁石を、指リングに軟磁性材料の金属を利用する前記の実施例の場合と反対になった場合に相当するものである。したがって、その構成は、円板に磁石を、指リングに軟磁性材料の金属を利用する前記の実施例の場合とほぼ同様なため詳細な説明を省略する。
ただし、磁石で指リングを形成すると、磁石の脆さが大きいため、軟磁性材料の金属で形成したものに比べて指リングの厚みを厚くしたりその幅を大きくしたりして磁石の材料強度を大きく取る必要が生じる。（図面省略）【００１７】「他の実施形態」
以下に、本発明に係る他の実施形態を説明する。
図６及び図７に示すように、円板１５の一方の面の中央部分に突起１６を設け、指リング２５の外周に案内２６を形成し、突起１６と案内２６とを係合することにより、円板１５と指リング２５とを摺動可能に一体化して構成する。これにより、円板１５を指から落すことなく廻すことが可能となる。
この実施例で利用する材料には、磁石と軟磁性材料の金属の組合せを必要としないため、プラスチック等で形成することができる。
【図面の簡単な説明】
【００１８】
【図１】本発明の一使用状態を示す斜視図である。
【図２】第一発明の一使用状態を示す斜視図である。
【図３】第一発明の別の使用状態を示す斜視図である。
【図４】第一発明の一実施例を示す斜視図である。
【図５】第一発明の一実施例のリングの断面図である。
【図６】第二発明の一実施例を示す斜視図である。
【図７】第二発明の一実施例の部分断面図である。
【符号の説明】
【００１９】  ５  ５ａ  ５ｂ  指
１０  １１  １５  円板
１２              外枠
１３              磁石
１６              突起
２０  ２１  ２５  指リング
２２              金属リング
２３              内リング
２４              切落し部
２６              案内
【図１】
2007144090.tif 000003
【図２】
2007144090.tif 000004
【図３】
2007144090.tif 000005
【図４】
2007144090.tif 000006
【図５】
2007144090.tif 000007
【図６】
2007144090.tif 000008
【図７】
2007144090.tif 000009